(57)【特許請求の範囲】
【請求項１】
ロック用アームを有する第１のハウジングと、前記ロック用アームと係合するロック用係合部を有し前記第１のハウジングと嵌合する第２のハウジングとから成り、前記ロック用アームは前記ハウジング同士が嵌合する際に前記ロック用係合部により押圧されて撓み、前記ハウジング同士が完全に嵌合した後に復元して前記ロック用係合部と係合する電気コネクタにおいて、前記第１のハウジングは、前記第２のハウジングの作用により後方に移動するスライダと、該スライダの前記後方への移動に伴って変形すると共に前記スライダを前方に付勢する第１、第２の弾性部材と、該第１の弾性部材を押さえる押さえ部材とを備え、前記ハウジング同士を嵌合する際には、前記ロック用アームは前記ハウジング同士が前記完全に嵌合するまで前記押さえ部材を係止すると共に、前記ハウジング同士が完全に嵌合した後に前記押さえ部材を解放して前記第１の弾性部材の前記スライダに対する付勢力を解除し、前記ハウジング同士の嵌合を解除する際には、前記ロック用アームは押圧されることによりロック用係合部との係合を解除し、前記第２の弾性部材は前記スライダを介して前記第２のハウジングを押し出し、前記押さえ部材を前記第１のハウジングに対する最前方の初期位置に一時的に係止する仮係止手段を有し、該仮係止手段は前記ロック用アームが前記押さえ部材を解放したときに前記押さえ部材を解放するようにし、前記押さえ部材は前記初期位置にあるとき撓んだ前記ロック用アームの係合孔に係合し、前記押さえ部材を移動しないように係止する本係止突起を有することを特徴とする電気コネクタ。
【請求項２】
ロック用アームを有する第１のハウジングと、前記ロック用アームと係合するロック用係合部を有し前記第１のハウジングと嵌合する第２のハウジングとから成り、前記ロック用アームは前記ハウジング同士が嵌合する際に前記ロック用係合部により押圧されて撓み、前記ハウジング同士が完全に嵌合した後に復元して前記ロック用係合部と係合する電気コネクタにおいて、前記第１のハウジングは、前記第２のハウジングの作用により後方に移動するスライダと、該スライダの前記後方への移動に伴って変形すると共に前記スライダを前方に付勢する第１、第２の弾性部材と、該第１の弾性部材を押さえる押さえ部材とを備え、前記ハウジング同士を嵌合する際には、前記ロック用アームは前記ハウジング同士が前記完全に嵌合するまで前記押さえ部材を係止すると共に、前記ハウジング同士が完全に嵌合した後に前記押さえ部材を解放して前記第１の弾性部材の前記スライダに対する付勢力を解除し、前記ハウジング同士の嵌合を解除する際には、前記ロック用アームは押圧されることによりロック用係合部との係合を解除し、前記第２の弾性部材は前記スライダを介して前記第２のハウジングを押し出し、前記第１の弾性部材の付勢力は前記第２の弾性部材よりも大きくしたことを特徴とする電気コネクタ。
【請求項３】
ロック用アームを有する第１のハウジングと、前記ロック用アームと係合するロック用係合部を有し前記第１のハウジングと嵌合する第２のハウジングとから成り、前記ロック用アームは前記ハウジング同士が嵌合する際に前記ロック用係合部により押圧されて撓み、前記ハウジング同士が完全に嵌合した後に復元して前記ロック用係合部と係合する電気コネクタにおいて、前記第１のハウジングは、前記第２のハウジングの作用により後方に移動するスライダと、該スライダの前記後方への移動に伴って変形すると共に前記スライダを前方に付勢する第１、第２の弾性部材と、該第１の弾性部材を押さえる押さえ部材とを備え、前記ハウジング同士を嵌合する際には、前記ロック用アームは前記ハウジング同士が前記完全に嵌合するまで前記押さえ部材を係止すると共に、前記ハウジング同士が完全に嵌合した後に前記押さえ部材を解放して前記第１の弾性部材の前記スライダに対する付勢力を解除し、前記ハウジング同士の嵌合を解除する際には、前記ロック用アームは押圧されることによりロック用係合部との係合を解除し、前記第２の弾性部材は前記スライダを介して前記第２のハウジングを押し出し、前記押さえ部材を前記第１のハウジングに対する最前方の初期位置に一時的に係止する仮係止手段を有し、該仮係止手段は前記ロック用アームが前記押さえ部材を解放したときに前記押さえ部材を解放するようにし、前記第２の弾性部材の付勢力は前記仮係止手段の係止力よりも大きくしたことを特徴とする電気コネクタ。
【請求項４】
前記押さえ部材は、前記スライダが後方に移動するときに移動せず、前記スライダが前方に移動するときに従動するようにした請求項１又は２又は３に記載の電気コネクタ。
【発明の詳細な説明】
【０００１】
【発明の属する技術分野】
本発明は、ハウジング同士の不完全嵌合状態を明確化する手段や、ハウジング同士の嵌合を容易に解除する手段を有する電気コネクタに関するものである。
【０００２】
【従来の技術】
従来のこの種のコネクタは、例えば特開平９−１８５９７４号公報に開示されている。このコネクタは、図１３に示すように雄型ハウジング１０１と雌型ハウジング１０２とから成り、雌型ハウジング１０２は雄型ハウジング１０１により押圧されて摺動するスライドロック部材１０３と、このスライドロック部材１０３を雄型ハウジング１０１側に付勢する圧縮ばね１０４とを備えている。
【０００３】
雄型ハウジング１０１はロックアーム１０５を有し、ロックアーム１０５はスライドロック部材１０３に係止されるハウジングロック１０６を上面に有すると共に、ハウジング１０１、１０２同士の中途嵌合を防止するための中途嵌合防止ロック１０７を両側面に有している。そして、スライドロック部材１０３は上面に離脱突起１０８を有する可撓性の嵌合解除アーム１０９と、雌型ハウジング１０２の上段ガイド溝１１０に嵌挿されるスライダストッパ１１１と、雌型ハウジング１０２の下段ガイド溝１１２に嵌挿される支持突起１１３とを有している。
【０００４】
雌型ハウジング１０２に雄型ハウジング１０１を押し込むと、雄型ハウジング１０１のハウジングロック１０６がスライドロック部材１０３の端面１０３ａを押し込み、スライドロック部材１０３が圧縮ばね１０４を圧縮する。また、雄型ハウジング１０１の中途嵌合防止ロック１０７が、雌型ハウジング１０２の下段ガイド溝１１２の前部に設けらたストッパ１１４の上部に位置する。この状態では、ロックアーム１０５はその中途嵌合防止ロック１０７がストッパ１１４に当接しているので撓むことが不可能となる。
【０００５】
雄型ハウジング１０１を圧縮ばね１０４の弾発力に抗して更に押し込むと、中途嵌合防止ロック１０７がストッパ１１４を乗り越えて下段ガイド溝１１２に嵌挿されると共に、スライドロック部材１０３の端面１０３ａが圧縮ばね１０４の弾発力によってロックアーム１０５を下方に撓ませながらハウジングロック１０６の図示しないテーパ面を乗り越える。そして、スライドロック部材１０３が雄型ハウジング１０１側に摺動することにより、ハウジングロック１０６がスライドロック部材１０３の下部に係止され、ハウジング１０１、１０２同士の嵌合が完了する。
【０００６】
一方、ハウジング１０１、１０２同士の嵌合を解除する際には、スライドロック部材１０３の離脱突起１０８を下方に押圧する。これにより、嵌合解除アーム１０９が下方に撓み、ハウジングロック１０６をスライドロック部材１０３から外す。そして、この状態を保持しながら雄型ハウジング１０１を雌型ハウジング１０２から引き離す。
【０００７】
【発明が解決しようとする課題】
このように、上述した従来例ではハウジング１０１、１０２同士を解除する際に、スライドロック部材１０３の離脱突起１０８を下方に押圧してハウジングロック１０６をスライドロック部材１０３から外す力と、雄型ハウジング１０１を雌型ハウジング１０２から引き離す力とが必要となる。このため、ハウジング１０１、１０２同士の嵌合を解除する作業が容易ではないという問題がある。
【０００８】
本発明の目的は、上述の問題点を解消し、ハウジング同士の不完全嵌合を明確化できると共に、ハウジング同士の嵌合を容易に解除し得る電気コネクタを提供することにある。
【０００９】
【課題を解決するための手段】
上記目的を達成するための本発明に係る電気コネクタは、ロック用アームを有する第１のハウジングと、前記ロック用アームと係合するロック用係合部を有し前記第１のハウジングと嵌合する第２のハウジングとから成り、前記ロック用アームは前記ハウジング同士が嵌合する際に前記ロック用係合部により押圧されて撓み、前記ハウジング同士が完全に嵌合した後に復元して前記ロック用係合部と係合する電気コネクタにおいて、前記第１のハウジングは、前記第２のハウジングの作用により後方に移動するスライダと、該スライダの前記後方への移動に伴って変形すると共に前記スライダを前方に付勢する第１、第２の弾性部材と、該第１の弾性部材を押さえる押さえ部材とを備え、前記ハウジング同士を嵌合する際には、前記ロック用アームは前記ハウジング同士が前記完全に嵌合するまで前記押さえ部材を係止すると共に、前記ハウジング同士が完全に嵌合した後に前記押さえ部材を解放して前記第１の弾性部材の前記スライダに対する付勢力を解除し、前記ハウジング同士の嵌合を解除する際には、前記ロック用アームは押圧されることによりロック用係合部との係合を解除し、前記第２の弾性部材は前記スライダを介して前記第２のハウジングを押し出し、前記押さえ部材を前記第１のハウジングに対する最前方の初期位置に一時的に係止する仮係止手段を有し、該仮係止手段は前記ロック用アームが前記押さえ部材を解放したときに前記押さえ部材を解放するようにし、前記押さえ部材は前記初期位置にあるとき撓んだ前記ロック用アームの係合孔に係合し、前記押さえ部材を移動しないように係止する本係止突起を有することを特徴とする。
また、本発明に係る電気コネクタは、ロック用アームを有する第１のハウジングと、前記ロック用アームと係合するロック用係合部を有し前記第１のハウジングと嵌合する第２のハウジングとから成り、前記ロック用アームは前記ハウジング同士が嵌合する際に前記ロック用係合部により押圧されて撓み、前記ハウジング同士が完全に嵌合した後に復元して前記ロック用係合部と係合する電気コネクタにおいて、前記第１のハウジングは、前記第２のハウジングの作用により後方に移動するスライダと、該スライダの前記後方への移動に伴って変形すると共に前記スライダを前方に付勢する第１、第２の弾性部材と、該第１の弾性部材を押さえる押さえ部材とを備え、前記ハウジング同士を嵌合する際には、前記ロック用アームは前記ハウジング同士が前記完全に嵌合するまで前記押さえ部材を係止すると共に、前記ハウジング同士が完全に嵌合した後に前記押さえ部材を解放して前記第１の弾性部材の前記スライダに対する付勢力を解除し、前記ハウジング同士の嵌合を解除する際には、前記ロック用アームは押圧されることによりロック用係合部との係合を解除し、前記第２の弾性部材は前記スライダを介して前記第２のハウジングを押し出し、前記第１の弾性部材の付勢力は前記第２の弾性部材よりも大きくしたことを特徴とする。
更に、本発明に係る電気コネクタは、ロック用アームを有する第１のハウジングと、前記ロック用アームと係合するロック用係合部を有し前記第１のハウジングと嵌合する第２のハウジングとから成り、前記ロック用アームは前記ハウジング同士が嵌合する際に前記ロック用係合部により押圧されて撓み、前記ハウジング同士が完全に嵌合した後に復元して前記ロック用係合部と係合する電気コネクタにおいて、前記第１のハウジングは、前記第２のハウジングの作用により後方に移動するスライダと、該スライダの前記後方への移動に伴って変形すると共に前記スライダを前方に付勢する第１、第２の弾性部材と、該第１の弾性部材を押さえる押さえ部材とを備え、前記ハウジング同士を嵌合する際には、前記ロック用アームは前記ハウジング同士が前記完全に嵌合するまで前記押さえ部材を係止すると共に、前記ハウジング同士が完全に嵌合した後に前記押さえ部材を解放して前記第１の弾性部材の前記スライダに対する付勢力を解除し、前記ハウジング同士の嵌合を解除する際には、前記ロック用アームは押圧されることによりロック用係合部との係合を解除し、前記第２の弾性部材は前記スライダを介して前記第２のハウジングを押し出し、前記押さえ部材を前記第１のハウジングに対する最前方の初期位置に一時的に係止する仮係止手段を有し、該仮係止手段は前記ロック用アームが前記押さえ部材を解放したときに前記押さえ部材を解放するようにし、前記第２の弾性部材の付勢力は前記仮係止手段の係止力よりも大きくしたことを特徴とする。
【００１０】
【発明の実施の形態】
本発明を図１〜図１２に図示の実施例に基づいて詳細に説明する。
図１は実施例の斜視図、図２は縦断面図であり、実施例の電気コネクタは相互に嵌合し得る一対のコネクタ１、２から構成されている。一方のコネクタ１のハウジング３は、後方の端子収容部４と前方のフード部５を有しており、端子収容部４の端子収容孔６には、電線７を後部に接続した雄型の接続端子８が例えば２列に収容されている。接続端子８は係止アーム９により端子収容孔６から抜け出さないように係止され、端子収容孔６の後部は電線７に嵌着されたワイヤシール部材１０により防水されている。フード部５の上壁内面には、他方のコネクタ２の後述するロック用アームに作用するロック用突起１１が形成され、このロック用突起１１の前面１１ａは、フード部５の前面５ａの若干後方に位置している。そして、フード部５の側壁内面には、コネクタ２の後述する筒状スライダを案内する案内溝１２が形成され、フード部５の奥にはシール部材１３が配置されている。
【００１１】
図３の分解斜視図にも示すように、コネクタ２は一方のハウジング３と嵌合する他方のハウジング２１と、このハウジング２１の前部外周面に前後動自在に設けられた筒状スライダ２２と、ハウジング２１の後部上面に前後動自在に配置された線細工ばね２３と、この線細工ばね２３の上方に前後動自在に配置された板状スライダ２４と、この板状スライダ２４の上方に覆設されたカバー２５と、ハウジング２１の前部に係合されたフロントホルダ２６と、ハウジング２１と筒状スライダ２２の間に配置された圧縮コイルばね２７とから構成されている。
【００１２】
ハウジング２１の上下方向の中間部は端子収容部３１とされ、この端子収容部３１の端子収容孔３２には電線３３を後部に接続した雌型の接続端子３４が収容されている。接続端子３４は係止アーム３５により端子収容孔３２から抜け出さないように係止され、端子収容孔３２の後部はワイヤシール部材３６により防水されている。
【００１３】
端子収容部３１の前部上面にはロック用アーム３７が設けられ、このロック用アーム３７にはハウジング３のロック用突起１１と係合する係合突起３７ａと、板状スライダ２４の後述する本係止突起と係合する係合孔３７ｂと、ロック用アーム３７を手で撓ます際に押圧される被押圧部３７ｃとが形成されている。端子収容部３１とロック用アーム３７の間には隙間が設けられており、この隙間には筒状スライダ２２の後述する押圧片が挿通されている。そして、端子収容部３１の両外面には、筒状スライダ２２をハウジング２１から抜け出さないように係止する一対のスライダ係止アーム３８が設けられている。
【００１４】
端子収容部３１の後部上面には、線細工ばね２３と板状スライダ２４を前後動自在に収容する収容室３９が設けられており、この収容室３９の低壁には板状スライダ２４を案内するための中央の第１の案内溝４０と、一側方の第２の案内溝４１とが設けられている。第１の案内溝４１の前端近傍には、板状スライダ２４を移動しないように一時的に係止する仮係止突起４２が設けられている。
【００１５】
収容室３９の前部には、カバー２５をヒンジ状に支持するために使用されるカバー用孔４３が形成され、収容室３９の側壁外面にはカバー２５をロックするために使用されるカバー用突起４４が形成されている。端子収容部３１の前部下面には筒状スライダ２２を案内する案内突条４５が形成され、端子収容部３１の後部下面には、圧縮コイルばね２７の後部を収容するためのばね収容室４６を有するばね収容部４７が設けられている。ばね収容室４６の前部は、筒状スライダ２２の後述するばね収容部を受け入れる拡径部４６ａとされている。
【００１６】
一方、筒状スライダ２２はハウジング２１の端子収容部３１の外側に嵌まり込む筒状部５１を有し、筒状部５１の上壁には線細工ばね２３を押圧すると共に板状スライダ２４に係合する押圧片５２が形成されている。押圧片５２の前端面には、線細工ばね２３の先端を受け入れる湾曲部５２ａが形成され、押圧片５２の前部両側には板状スライダ２４に係合しそれを前方に従動させるための一対の耳部５３が設けられている。
【００１７】
筒状部５１の側壁内面には、ハウジング２１のスライダ係止アーム３８を案内する一対の案内溝５４が形成され、筒状部５１の側壁外面にはハウジング３の案内溝１２に嵌合する案内突条５５が形成されている。筒状部５１の前面上部にはハウジング３のフード部５により押圧される一対の上部突片５６が設けられ、筒状部５１の前面下部には圧縮コイルばね２７の前部を収容するばね収容孔５７を有しハウジング３のフード部５により押圧されるばね収容部５８が設けられている。そして、筒状部５１の底壁内面とばね収容部５８の上面には、ハウジング２１の案内突条４５を受け入れる案内溝５９が形成されている。
【００１８】
線細工ばね２３は筒状スライダ２２の押圧片５２により押圧される円弧状部２３ａと、この円弧状部２３ａの両端から相互に縮径するように延在する左右の縮径部２３ｂとを有し、ハウジング２１の軸線に対称な形状とされている。線細工ばね２３はハウジング２１の収容室３９内に円弧状部２３ａを前方に向けて前後動自在に収容され、縮径部２３ｂは後方に移動した際に板状スライダ２４により拡径するように案内されるようになっている。
【００１９】
図４の縦断面図及び図５の底面図に示すように、板状スライダ２４はハウジング２１の収容室３９に前後動自在に収容される板状部６１を有し、この板状部６１の上面前部には、ロック用アーム３７の係合孔３７ｂに係合し板状スライダ２４が後方に移動しないように係止する本係止突起６２が設けられている。板状部６１の下面前部には、筒状スライダ２２の耳部５３により係止される一対の突起６３が設けられ、板状部６１の下面後部には線細工ばね２３の縮径部２３ｂを拡径するように案内する一対の案内面６４ａを有する案内部６４が形成されている。
【００２０】
案内部６４の下面後部には、ハウジング２１の案内溝４０、４１にそれぞれ嵌合する案内突起６５、６６が設けられ、案内部６４の下面前部にはハウジング２１の仮係止突起４２を受け入れる係合溝６７が形成され、この係止溝６７の前部は仮係止突起４２を係止する係止部６８とされている。そして、カバー２５には、ハウジング２１のカバー用孔４３に係合する一対のヒンジ用突起７１と、ハウジング２１のカバー用突起４４に係合する一対のロック用枠７２とが形成されている。
【００２１】
ここで、コネクタ１と嵌合しないコネクタ２の初期状態では、筒状スライダ２２、線細工ばね２３及び板状スライダ２４はハウジング２１に対して最前方に位置付けられ、筒状スライダ２２の前方への抜出しはスライダ係止アーム３８により規制されている。
【００２２】
また、図６の部分拡大図に示すように、板状スライダ２４の係合溝６７にハウジング２１の仮係止突起４２が係合することにより、板状スライダ２４の移動が一時的に規制されている。そして、筒状スライダ２２の押圧片５２はロック用アーム３７の下側を通って線細工ばね２３に当接され、線細工ばね２３の後部は板状スライダ２４の案内部６４の前部に位置付している。このとき、筒状スライダ２２の耳部５３は板状スライダ２４の突起６３の直後に位置している。
【００２３】
更に、圧縮コイルばね２７はハウジング２１のばね収容室４６と筒状スライダ２２のばね収容室５７に自由状態かつ筒状スライダ２２の移動と共に圧縮されるように収容されている。この圧縮コイルばね２７の弾発力は線細工ばね２３の弾発力よりも小さく、仮係止突起４２と係合溝６７の係合力よりも大きくされている。
【００２４】
そして、ハウジング３、雄型接続端子８、ハウジング２１、筒状スライダ２２、線細工ばね２３、板状スライダ２４、カバー２５、圧縮コイルばね２７、雌型接続端子３４は、コネクタ１、２同士を嵌合する際に次のように作用する。
【００２５】
(1) 図７に示すように、初期状態にあるコネクタ２にコネクタ１を嵌合すると、ハウジング３のフード部５が筒状スライダ２２の外側を進入し、ロック用突起１１がロック用アーム３７を下方に撓ませる。このとき、板状スライダ２４は仮係止突起４２により係止されているので、ロック用アーム３７が下方に撓むことにより本係止突起６２がロック用アーム３７の係合孔３７ｂに係合し、ロック用アーム３７は板状スライダ２４を本係止する。また、ハウジング３が筒状スライダ２２の上部突片５６とばね収容部５８に当接すると共に、接続端子８、３４同士が略接触する。
【００２６】
(2) コネクタ１、２同士を更に嵌合すると、図８に示すようにロック用突起１１がロック用アーム３７を更に撓ますと共に、ハウジング３が筒状スライダ２２を後方に移動させる。このとき、筒状スライダ２２のばね収容部５８がハウジング２１のばね収容室４６の拡径部４６ａに進入し、筒状スライダ２２は圧縮コイルばね２７を若干圧縮する。また、ロック用アーム３７が板状スライダ２４を本係止しているので、筒状スライダ２２は線細工ばね２３を後方に駆動する。これにより、線細工ばね２３の縮径部２３ｂは板状スライダ２４の案内部６４の案内面６４ａを摺動しながら拡径し、線細工ばね２３は弾発力を蓄積し始める。
【００２７】
(3) コネクタ１、２同士を完全嵌合状態の近傍まで嵌合すると、図９、図１０に示すようにロック用突起１１がロック用アーム３７を更に撓ませ、筒状スライダ２２は圧縮コイルばね２７を大きく圧縮すると共に、線細工ばね２３の縮径部２３ｂを大きく拡径する。従って、この状態でコネクタ１、２に加える力を弱めると、線細工ばね２３の縮径部２３ｂが縮径するように作用すると共に、圧縮コイルばね２７が伸長し、筒状スライダ２２を介してハウジング３を押し出し、コネクタ１、２同士の不完全嵌合状態を明確化する。
【００２８】
(4) 一方、コネクタ１、２同士を完全に嵌合すると、図１１に示すようにロック用突起１１はロック用アーム３７の係止突起３７ａを乗り越え、ロック用アーム３７が復元してロック用突起１１と係合する。同時に、ロック用アーム３７の係合孔３７ｂが板状スライダ２４の本係止突起６２から外れ、板状スライダ２４の係合溝６７がハウジング２１の仮係止突起４２から外れ、板状スライダ２４は線細工ばね２３の弾発力により最後方に移動する。
【００２９】
(5) そして、コネクタ１、２同士の嵌合を解除する際には、図１２に示すようにロック用アーム３７の被押圧部３７ｃを矢印Ａ方向に押し込む。これにより、ロック用アーム３７の係合突起３７ａがロック用突起１１から外れ、圧縮コイルばね２７が筒状スライダ２２を初期位置に戻し、ハウジング３を矢印Ｂ方向に押し出す。このとき、筒状スライダ２２の耳部５３が板状スライダ２４の突起６３の背後に係止しているので、筒状スライダ２２は板状スライダ２４を従動させ、板状スライダ２４と線細工ばね２３を初期位置に戻す。
【００３０】
【発明の効果】
以上説明したように本発明に係る電気コネクタでは、ハウジング同士が完全に嵌合する前にハウジング同士に加わる力がなくなった場合には、第１、第２の弾性部材の弾発力が第２のハウジングを第１のハウジングから押し出すように作用し、ハウジング同士の不完全嵌合状態を明確化する。また、ロック用アームが押圧された際にロック用係合部から外れ、第２の弾性部材がスライダを介して第２のハウジングを押し出すので、ハウジング同士の嵌合を容易に解除できる。
【図面の簡単な説明】
【図１】実施例の斜視図である。
【図２】縦断面図である。
【図３】一方のコネクタの分解斜視図である。
【図４】板状スライダの縦断面図である。
【図５】板状スライダの底面図である。
【図６】部分拡大図である。
【図７】作用説明図である。
【図８】作用説明図である。
【図９】作用説明図である。
【図１０】作用説明図である。
【図１１】作用説明図である。
【図１２】作用説明図である。
【図１３】従来例の斜視図である。
【符号の説明】
１  一方のコネクタ
２  他方のコネクタ
３  一方のハウジング
１１  ロック用突起
２１  他方のハウジング
２２  筒状スライダ
２３  線細工ばね
２４  板状スライダ
２７  圧縮コイルばね
３７  ロック用アーム
３７ａ  係合突起
３７ｂ  係合孔
４２  仮係止突起
５２  押圧片
５３  耳部
６２  本係止突起
６３  突起
６７  係合溝
【図１】
0003833804.tif 000002
【図２】
0003833804.tif 000003
【図３】
0003833804.tif 000004
【図４】
0003833804.tif 000005
【図５】
0003833804.tif 000006
【図６】
0003833804.tif 000007
【図７】
0003833804.tif 000008
【図８】
0003833804.tif 000009
【図９】
0003833804.tif 000010
【図１０】
0003833804.tif 000011
【図１１】
0003833804.tif 000012
【図１２】
0003833804.tif 000013
【図１３】
0003833804.tif 000014